(57)【要約】      （修正有）【課題】歩きやすく、効率よく足裏に適切な刺激を与えることができるサンダルを提供する。【解決手段】サンダル１００のソール部１０１のクッション部は、母指球開口部、踵開口部を有し、インソール部１０５は、指圧凸部、母指球凸部、踵凸部を有する。母指球凸部は、母指球の付近の領域に対応する位置に、裏面から突出する方向に向かって形成され、母指球開口部に嵌合する。踵凸部は、足の踵の付近の領域に対応する位置に、裏面から突出する方向に向かって形成され、踵開口部に嵌合する。インソール部は、ソール部よりも、低い弾性力を有する樹脂材によって形成されている。【選択図】図１
0003222557.tif 000002
【実用新案登録請求の範囲】
【請求項１】
ソール部、及び、インソール部を有し、所定の樹脂材によって形成されるサンダルであって、
前記ソール部は、
前記インソール部の裏面に接するインソール支持面から、地面に接するソール面に貫通する開口として形成される母指球開口部、
地面に接するソール面に貫通する開口として形成される踵開口部、
を有し、
前記インソール部は、
裏面から突出する方向に向かって形成される指圧凸部、
前記指圧凸部上に配置される足の母指球の付近の領域に対応する位置に、裏面から突出する方向に向かって形成される母指球凸部であって、前記母指球開口部に嵌合する前記母指球凸部、
前記指圧凸部上に配置される足の踵の付近の領域に対応する位置に、裏面から突出する方向に向かって形成される踵凸部であって、前記踵開口部に嵌合する前記踵凸部、
を有し、
さらに、前記インソール部は、
前記ソール部よりも、低い弾性力を有する前記樹脂材によって形成されていること、
を特徴とするサンダル。
【請求項２】
請求項１に係るサンダルにおいて、
前記インソール部は、
前記ソール部よりも、低い弾性力を有する前記樹脂材によって形成されていること、
を特徴とするサンダル。
【請求項３】
請求項２に係るサンダルにおいて、
前記ソール部、及び／又は、前記インソール部は、
エチレン酢酸ビニル共重合体樹脂を用いて形成されていること、
を特徴とするサンダル。
【考案の詳細な説明】
【技術分野】
【０００１】
本考案は、サンダルに関し、特に、効率的に足裏を刺激できるものに関する。
【背景技術】
【０００２】
従来のサンダルについて、図７を用いて説明する。専門家による治療を不要とする足裏ツボ刺激用の健康サンダルが開示されている。この健康サンダル（１）は異なる直径の刺激鋲（２）を利用する。刺激鋲は健康サンダルに着脱式に固定可能であり、希望する対象人体器官のツボに合わせて適宜交換、数および位置の変更を行うことができる（特許文献１）。
【先行技術文献】
【特許文献】
【０００３】
【特許文献１】特表２００４−５２６５２７号公報
【考案の概要】
【考案が解決しようとする課題】
【０００４】
しかしながら、前述の健康サンダルには以下に示すような改善すべき点がある。健康サンダルでは、取り付けられる刺激鋲２を支持するために、サンダル１は、相当の硬さを有する必要がある。一方、サンダル１を固くすれば、サンダル１が屈曲せず、歩きにくく、疲れやすい、という改善すべき点があった。
【０００５】
そこで、本考案は、歩きやすく、効率よく足裏に適切な刺激を与えることができるサンダルを提供することを目的とする。
【考案の効果】
【０００６】
本考案にかかるサンダルは、
ソール部、及び、インソール部を有し、所定の樹脂材によって形成されるサンダルであって、
前記ソール部は、
前記インソール部の裏面に接するインソール支持面から、地面に接するソール面に貫通する開口として形成される母指球開口部、
地面に接するソール面に貫通する開口として形成される踵開口部、
を有し、
前記インソール部は、
裏面から突出する方向に向かって形成される指圧凸部、
前記指圧凸部上に配置される足の母指球の付近の領域に対応する位置に、裏面から突出する方向に向かって形成される母指球凸部であって、前記母指球開口部に嵌合する前記母指球凸部、
前記指圧凸部上に配置される足の踵の付近の領域に対応する位置に、裏面から突出する方向に向かって形成される踵凸部であって、前記踵開口部に嵌合する前記踵凸部、
を有し、
さらに、前記インソール部は、
前記ソール部よりも、低い弾性力を有する前記樹脂材によって形成されていること、
を特徴とするサンダル。
【０００７】
これにより、踵から接地する歩行動作の最初、及び、母指球で地面を蹴る歩行動作の最後において地面からの反力を、ソール部で吸収することなく、効率よく、指圧凸部へ伝達する。ひいては、効率よく人の足裏に圧力をかけることができる。
【０００８】
本考案にかかるサンダルでは、
前記インソール部は、
前記ソール部よりも、低い弾性力を有する前記樹脂材によって形成されていること、
を特徴とするサンダル。
【０００９】
これにより、インソール部は、ソール部よりも低い弾性力で、つまり、硬く形成されているため、地面からの反力を、ソール部で吸収することなく、効率よく、指圧凸部へ伝達する。ひいては、効率よく人の足裏に圧力をかけることができる。
【００１０】
本考案にかかるサンダルでは、
前記ソール部、及び／又は、前記インソール部は、
エチレン酢酸ビニル共重合体樹脂を用いて形成されていること、
を特徴とするサンダル。
【００１１】
これにより、歩行動作を妨げることなく、効率よく、指圧凸部へ伝達する。ひいては、歩きやすく、また、効率よく人の足裏に圧力をかけることができる。
【図面の簡単な説明】
【００１２】
【図１】本考案に係るサンダルの一実施例であるサンダル１００を示す斜視図である。
【図２】右足用のサンダル１００からインソール部１０５を取り外した状態を示す斜視図である。
【図３】右足用のサンダル１００のインソール部１０５を示す斜視図である。
【図４】インソール部１０５の裏面Ｓ５３を示す図である。
【図５】クッション部１０１ａとインソール部１０５とを組み合わせた状態をソール面Ｓ１１側から見た状態を示す図である。
【図６】インソール部１０５に形成される指圧凸部Ｐ５５の配置を示す図である。
【図７】従来のサンダルを示す図である。
【考案を実施するための形態】
【実施例１】
【００１３】
以下、本考案に係るサンダルについて、サンダル１００を一例に説明する。サンダル１００は、軽量で軟質の樹脂材、例えば、ＥＶＡ（エチレン酢酸ビニル共重合体）樹脂を主成分とする樹脂により成形される。
【００１４】
第１  サンダル１００の構成
図１に示すように、サンダル１００は、ソール部１０１、アッパ部１０３、インソール部１０５、及び、ストラップ部１０７を有している。
【００１５】
１．ソール部１０１
図２に、右足用のサンダル１００からインソール部１０５を取り外した状態を示す。ソール部１０１は、インソール部１０５と地面との間に位置する。ソール部１０１は、軽量で軟質の樹脂材で形成される。ソール部１０１は、クッション部１０１ａ、及び、側壁部１０１ｂを有している。
【００１６】
クッション部１０１ａは、靴底として機能する。クッション部１０１ａは、ソール面Ｓ１１（図５参照）、インソール支持面Ｓ１３、母指球開口部Ｈ１１、及び、踵開口部Ｈ１３を有している。
【００１７】
ソール面Ｓ１１は、地面と接する。インソール支持面Ｓ１３は、インソール部１０５の裏面Ｓ５３（図４参照）と接し、インソール部１０５を支持する。
【００１８】
母指球開口部Ｈ１１は、インソール支持面Ｓ１３からソール面Ｓ１１に貫通する開口として形成される。母指球開口部Ｈ１１は、インソール部１０５に形成される母指球凸部Ｐ５１（後述）と嵌合する。
【００１９】
踵開口部Ｈ１３は、インソール支持面Ｓ１３からソール面Ｓ１１に貫通する開口として形成される。踵開口部Ｈ１３は、インソール部１０５に形成される踵凸部Ｐ５３（後述）と嵌合する。
【００２０】
側壁部１０１ｂは、クッション部１０１ａの外周に沿って形成される。側壁部１０１ｂは、インソール支持面Ｓ１３ともに、インソール配置空間Ｒ１０１を形成する。インソール配置空間Ｒ１０１には、インソール部１０５が配置される。
【００２１】
２．アッパ部１０３
図１に戻って、アッパ部１０３は、ソール部１０１の一方の側縁と他方の側縁とをアーチ状に接続する。アッパ部１０３は、使用時に足の甲に沿って配置される。
【００２２】
３．インソール部１０５
図１に示すように、インソール部１０５は、ソール部１０１上に配置され、使用者の足裏面と接する。インソール部１０５は、軽量で軟質の樹脂材で形成され、ソール部１０１よりも、特にクッション部１０１ａよりも、低い弾性力を有する樹脂材によって形成されている。つまり、インソール部１０５は、ソール部１０１よりも硬くなるように形成されている。
【００２３】
図３に、右足用のインソール部１０５の斜視図を示す。インソール部１０５は、表面Ｓ５１、裏面Ｓ５３（図４参照）、母指球凸部Ｐ５１、踵凸部Ｐ５３、及び、指圧凸部Ｐ５５を有している。
【００２４】
図４に、インソール部１０５を、裏面Ｓ５３から見た状態を示す。母指球凸部Ｐ５１は、表面Ｓ５１に形成される指圧凸部Ｐ５５上に配置される足の母指球の付近の領域に対応する位置に、裏面Ｓ５３から突出するように形成される。母指球凸部Ｐ５１は、つま先側から踵側に向かって縦長の直方体形状を有している。また、母指球凸部Ｐ５１は、裏面Ｓ５３から突出する方向に向かって広がるように形成される。
【００２５】
踵凸部Ｐ５３は、表面Ｓ５１に形成される指圧凸部Ｐ５５上に配置される足の踵の中央付近の領域に対応する位置に、裏面Ｓ５３から突出するように形成される。踵凸部Ｐ５３は、直方体形状を有している。また、母指球凸部Ｐ５１も、母指球凸部Ｐ５１と同様に、裏面Ｓ５３から突出する方向に向かって広がるように形成される。
【００２６】
母指球凸部Ｐ５１、踵凸部Ｐ５３を、それぞれ、クッション部１０１ａの母指球開口部Ｈ１１、踵開口部Ｈ１３に嵌合した状態をソール面Ｓ１１側から見た状態を図５に示す。母指球凸部Ｐ５１が母指球開口部Ｈ１１に嵌合し、踵凸部Ｐ５３が踵開口部Ｈ１３に嵌合することによって、インソール部１０５とクッション部１０１ａとを一体とし、インソール部１０５がクッション部１０１ａに対してずれることを防止する。
【００２７】
母指球凸部Ｐ５１は母指球ソール面Ｓ５５を、踵凸部Ｐ５３は踵ソール面Ｓ５７を有している。母指球凸部Ｐ５１、踵凸部Ｐ５３をクッション部１０１ａの母指球開口部Ｈ１１、踵開口部Ｈ１３に嵌合した状態において、母指球ソール面Ｓ５５を、踵凸部Ｐ５３は、クッション部１０１ａのソール面Ｓ１１と同一面内に配置される。つまり、母指球凸部Ｐ５１の母指球ソール面Ｓ５５、踵凸部Ｐ５３の踵ソール面Ｓ５７、及び、クッション部１０１ａのソール面Ｓ１１によって、サンダル１００のソール面を形成する。
【００２８】
人は、最初に、踵から設置し、最後に母指球で地面を蹴る歩行動作を行っている。サンダル１００を履いて歩行する人は、歩行動作の最初に、踵ソール面Ｓ５７付近から地面に接する。このとき、人が地面に対して作用させた力の反力が、地面から、踵ソール面Ｓ５７を介して、踵凸部Ｐ５３へと伝達し、さらに、指圧凸部Ｐ５５へと伝達する。これにより、指圧凸部Ｐ５５は、人の足裏に効率よく圧力をかけることができる。
【００２９】
また、踵凸部Ｐ５３は、クッション部１０１ａよりも低い弾性力、つまり、硬く形成されているため、地面からの反力を、クッション部１０１ａで吸収することなく、効率よく、指圧凸部Ｐ５５へ伝達する。ひいては、効率よく人の足裏に圧力をかけることができる。
【００３０】
また、サンダル１００を履いて歩行する人は、歩行動作の最後に、母指球ソール面Ｓ５５付近で地面を蹴る。このとき、人が地面に対して作用させた力の反力が、地面から、母指球ソール面Ｓ５５を介して、母指球凸部Ｐ５１へと伝達し、さらに、指圧凸部Ｐ５５へと伝達する。これにより、指圧凸部Ｐ５５は、人の足裏に効率よく圧力をかけることができる。
【００３１】
また、インソール部１０５は、クッション部１０１ａよりも低い弾性力で、つまり、硬く形成されているため、地面からの反力を、クッション部１０１ａで吸収することなく、効率よく、指圧凸部Ｐ５５へ伝達する。ひいては、効率よく人の足裏に圧力をかけることができる。
【００３２】
なお、インソール部１０５の表面Ｓ５１に形成される指圧凸部Ｐ５５の配置について図６に示す。指圧凸部Ｐ５５は、足裏のツボの位置に対応して形成される。これにより、足裏のツボを適切に押圧できる。また、指圧凸部Ｐ５５は、足裏のツボにより刺激される体の部位が想起できる形状を有している。なお、指圧凸部Ｐ５５の表面には、さらに小さな半球状の突起が形成されている。これにより、足裏の滑りを防止するとともに、足裏への押圧力を高める。
【００３３】
４．ストラップ部１０７
ストラップ部１０７は、アッパ部１０３において、内側、外側、それぞれのクッション部１０１ａとの境界付近から、アーチ状に形成される。ストラップ部１０７は、使用者の踵にひっかけて、使用者の足をインソール部１０５上の所定の位置に固定する。
【００３４】
［その他の実施形態］
（１）樹脂材：前述の実施例１においては、サンダル１００は、ＥＶＡ樹脂（エチレン酢酸ビニル共重合体）を主成分とする樹脂等の軽量で軟質の樹脂材により成形されるとしたが、足裏を刺激できる材料であれば、例示のものに限定されない。例えば、その他のエラストマーを用いるようにしてもよい。
【００３５】
（２）ストラップ部１０７：前述の実施例１においては、サンダル１００は、ストラップ部１０７を有するタイプとしたが、ストラップ部１０７を有さないタイプのサンダルであってもよい。
【符号の説明】
【００３６】
１００      サンダル
１０１      ソール部
１０１ａ      クッション部
Ｓ１１      ソール面
Ｓ１３      インソール支持面
Ｈ１１      母指球開口部
Ｈ１３      踵開口部
１０１ｂ      側壁部
Ｒ１０１      インソール配置空間
１０３      アッパ部
１０３            インソール部
１０５      インソール部
Ｓ５１      表面
Ｓ５３      裏面
Ｐ５１      母指球凸部
Ｓ５５      母指球ソール面
Ｐ５３      踵凸部
Ｓ５７      踵ソール面
Ｐ５５      指圧凸部
１０７      ストラップ部
【図１】
0003222557.tif 000003
【図２】
0003222557.tif 000004
【図３】
0003222557.tif 000005
【図４】
0003222557.tif 000006
【図５】
0003222557.tif 000007
【図６】
0003222557.tif 000008
【図７】
0003222557.tif 000009